(57)【要約】      （修正有）【課題】ガラス板などの鋭利な部材を掴む際に高い耐切創性を発揮する手袋を提供する。【解決手段】手袋１を側面の一端側７から側面の他端側８に向けて編成する工程において、少なくとも着用時に掌側２に位置する部分に、手袋を形成する地糸よりも強度に優れた高強度糸が所定の編成コース数を隔てながらコース方向に連続するように編み込んで保護部１２を形成することで、ガラス板などの鋭利な部分が高強度糸と直交するように当接し、着用者の手を効果的に保護する。【選択図】図１
2014125715.tif 000002
【特許請求の範囲】
【請求項１】
横編機を用いて編成される手袋であって、ウエール方向の編目列は手袋の側面の一端側から他端側に向けて連続するとともに、少なくとも着用時に掌側に位置する部分には、手袋を形成する地糸よりも強度に優れた高強度糸が所定の編成コース数を隔てながらコース方向に連続するように編み込まれて保護部が形成されることを特徴とする、手袋。
【請求項２】
高強度糸がインレイ編成により手袋に編み込まれることを特徴とする、請求項１に記載の手袋。
【請求項３】
高強度糸がジャカード編成により手袋に編み込まれることを特徴とする、請求項１に記載の手袋。
【請求項４】
高強度糸として、パラ系アラミド繊維、ＰＢＯ（ポリパラフェニレン・ベンゾビス・オキサゾール）繊維、ポリアリレート繊維、ポリエチレン繊維、金属材料のいずれかを用いることを特徴とする、請求項１から請求項３に記載の手袋。
【請求項５】
高強度糸として金属材料を用いるとともに、地糸として、パラ系アラミド繊維、ＰＢＯ繊維、ポリアリレート繊維、ポリエチレン繊維のいずれかを用いることを特徴とする、請求項４に記載に手袋。
【発明の詳細な説明】
【技術分野】
【０００１】
本発明は、横編機を用いて編まれる耐切創性に優れた手袋に関する。
【背景技術】
【０００２】
耐切創手袋として、パラ系アラミド繊維や金属材料などの高強度糸を用いた手袋が知られている。例えば特許文献１では、アラミド繊維を含む高強度糸と弾性糸を同時に編み込むことで、耐切創性と伸縮性を備えた手袋が開示されている。
【先行技術文献】
【特許文献】
【０００３】
【特許文献１】実用新案登録第３１５２９３１号公報
【発明の概要】
【発明が解決しようとする課題】
【０００４】
しかし、前記従来方法の作業手袋では、高価な高強度糸を手袋の全体に用いるため製品コストが高くなる。また、細い高強度糸で手袋を編成したとしても、伸縮性に乏しい高強度糸で全体が構成された手袋では指の折り曲げの硬さを十分に解決できない。
【０００５】
上述のような問題点を解決するために、綿糸やウールなどの地糸を用いて指先から編出し、各部を周回状に編成する公知の手袋の編成工程において、所定の編成コース数を隔てながら高強度糸を編み込んだ手袋が考案された。このような手袋では、高強度糸の使用量を低減することで低コストを実現できるとともに、高強度糸が手袋に間引きながら編み込まれるので指などを折り曲げ易い。また、コストが掛かっても更に高い耐切創性を必要とする場合には、地糸にパラ系アラミド繊維などの糸を用いるとともに、高強度糸として金属材料の糸を用いて同様の編成を行うことも可能である。金属材料の糸だけで手袋を編成するのは難しく、パラ系アラミド繊維などの手袋以上に指の折り曲げが困難となるが、パラ系アラミド繊維などで編成される手袋に対して所定の編成コースを隔てながら金属材料の糸を例えば公知のインレイ編成により挿通すれば、編み易く、パラ系アラミド繊維などの手袋と同等の折り曲げ硬さでありながら高い強度を得ることができる。
【０００６】
しかし、高強度糸は手袋の編幅方向であるコース方向には連続しているが、コース方向と垂直に交差するウエール方向には間欠的に配置されるため、ガラス板などを搬送する場合は搬送物の鋭利な部分と高強度糸が編み込まれていない部分が平行な状態で当接することになり、十分な耐切創性を得られないことがあった。パラ系アラミド繊維などの糸と金属材料の糸を用いた前述の高い耐切創性を備えた手袋であっても、刃物などを掴む場合は同様に金属材料の糸が無い部分に刃先が当接すると、十分な耐切創効果を得られないことがあった。
【０００７】
本発明は、上記事情に鑑みてなされたものであり、鋭利な部材を掴む際に高い耐切創性を発揮する手袋を提供することを目的とする。
【課題を解決するための手段】
【０００８】
本発明は、横編機を用いて編成される手袋であって、ウエール方向の編目列は手袋の側面の一端側から他端側に向けて連続するとともに、少なくとも着用時に掌側に位置する部分には、手袋を形成する地糸よりも強度に優れた高強度糸が所定の編成コース数を隔てながらコース方向に連続するように編み込まれて保護部が形成されることを特徴とする手袋である。
【０００９】
また本発明は、高強度糸がインレイ編成により手袋に編み込まれることを特徴とする手袋である。
【００１０】
また本発明は、高強度糸がジャカード編成により手袋に編み込まれることを特徴とする手袋である。
【００１１】
また本発明は、高強度糸として、パラ系アラミド繊維、ＰＢＯ（ポリパラフェニレン・ベンゾビス・オキサゾール）繊維、ポリアリレート繊維、ポリエチレン繊維、金属材料のいずれかを用いることを特徴とする手袋である。
【００１２】
また本発明は、高強度糸として金属材料を用いるとともに、地糸として、パラ系アラミド繊維、ＰＢＯ繊維、ポリアリレート繊維、ポリエチレン繊維のいずれかを用いることを特徴とする手袋である。
【００１３】
ここで、側面の一端側とは手袋の甲側編地と掌側編地との境界のうち手袋の一方の側面に位置するものを示し、同様に側面の他端側とは前記境界のうち手袋の他方の側面に位置するものを示す。
【発明の効果】
【００１４】
本発明では、ウエール方向の編目列は手袋の側面の一端側から他端側に向けて連続するとともに、少なくとも着用時に掌側に位置する部分には、手袋を形成する地糸よりも強度に優れた高強度糸が所定の編成コース数を隔てながらコース方向に連続するように編み込まれて保護部が形成される、耐切創性に優れた手袋を得られる。従って、搬送物の鋭利な部分と直交するように、高強度糸が手袋の指先から手首に向かう方向に連続するように配置されるので、高い耐切創性を発揮することができる。保護部を少なくとも着用時に掌側に位置する部分に設けることで、鋭利な部材に直接触れる部分を確実に保護できる。保護部を甲側や手首などに設けて手を全体的に保護するようにしてもよい。
【００１５】
さらに本発明では、高強度糸がインレイ編成により手袋に編み込まれるので、編目を形成するのが難しい太い高強度糸を容易に手袋に編み込むことができる。また、同一箇所に複数本のインレイ糸（高強度糸）を挿入して密度を増やすことが可能であり、高い耐切創性を得ることができる。
【００１６】
さらに本発明では、高強度糸がジャカード編成により手袋に編み込まれるので、手袋表面の任意の位置に保護部を形成することができる。
【００１７】
さらに本発明では、高強度糸として、パラ系アラミド繊維などの高強度合成繊維あるいは金属材料のいずれかを用いるので、耐切創性に優れる手袋を提供できる。
【００１８】
さらに本発明では、高強度糸として金属材料を用いるとともに、地糸として、パラ系アラミド繊維などの高強度合成繊維を用いるので、手袋として柔軟性を有しながら、耐切創性に優れた強度も有する手袋を得ることができる。なお、金属材料としては、ステンレス鋼製の糸、アルミニウム合金製の糸、チタン合金製の糸などが挙げられる。前記した金属材料を含む糸は、金属材料のみからなる金属糸を用いてもよいし、金属糸の周りに複数の高強度合成繊維の糸を撚りながら巻き付けたものを用いてもよい。
【図面の簡単な説明】
【００１９】
【図１】本発明の実施例における耐切創手袋の外観を示す図である。
【発明を実施するための形態】
【００２０】
以下、本発明の実施例として、耐切創性を備えた手袋について説明する。本実施例では地糸１１として綿糸を用い、高強度糸１０としてパラ系アラミド繊維を用いる例を示すが、後述のように糸種の組合せはこれに限らず、手袋１を形成する地糸１１よりも強度に優れた高強度糸１０を使用すればよい。以下の説明で編成に使用する図示しない横編機は、前後一対の針床を備えた２枚ベッド横編機であり、後針床が前針床に対して相対的にラッキング可能で、針床の上方に複数の給糸口を有するものである。針床の長手方向とは横編機の左右方向のことであり、キャリッジが走行する方向でもある。なお、横編機は前後の針床間で編目の目移しが可能であり、実施例における手袋１の編成では、各針床の１本置きの編針を使用して、編成に使用する編針と対向する針床の編針は目移し用に空針として利用する。
【実施例】
【００２１】
図１は、本発明の実施例における耐切創手袋１の外観を示す図である。手袋１は、指先４から指股５を経由して手首６に至る長手方向に対して直交するように、側面の一端側７から側面の他端側８に向かってウエール方向の編目列が形成されている。つまり、手袋１は前記横編機により側面の一端側７に編出し部１３を形成した後、途中で複数の指袋を編成しながら、側面の他端側８で公知の伏目処理により伏目部１４を形成して編み終える。この編成工程において、給糸口から前後の針床の編針に地糸１１を供給して、指先４側で折り返しながら手首６側で開口するようにＣ字状に編成する。そして、前針床で掌側２を、後針床で甲側３を所定のコース数の編成を行って形成し、地糸１１とは異なる給糸口から高強度糸１０を前針床の編針に供給して手袋１の各指袋９を含む掌側２に編み込む編成を繰り返す。なお、各指袋９は指の幅に相当するコース数のＣ字状編成を行った後に、指先４から指股５までの編幅で公知の伏目処理を施して伏目部１４ａを形成する。伏目部１４ａに続けて次の指袋９のための編出し部１３ａを形成して、以降同様の編成を繰り返すことで５本の指袋を形成する。必要に応じて公知の増やし編成と減らし編成を行うことで、指先４の先端に丸みを形成することも可能である。なお、指先から手首に向けて編成して得られる公知の手袋では、指股で地糸を切断する必要がある。そのため、後述するように地糸に高強度合成繊維を用いる場合は糸の切断部分が着用者の手に触れて不快感を与えることがあるが、側面の一端側７から側面の他端側８に向けて編成される本実施例の手袋１は指股５で地糸１１の切断を行わないので、着用者に不快感を与えない効果も備えている。
【００２２】
掌側２への高強度糸１０の編み込みは、例えばインレイ編成により行われる。インレイ編成は、地糸１１を用いて前針床で天竺編成などにより形成した編成コースの編目を、１目毎など任意の編目数毎に後針床の空針に目移しを行い、前後の編目間に高強度糸１０を挿入した後、目移ししていた編目を再び前針床に目移しすることで行われる。インレイ編成で挿入された高強度糸１０は、後針床から目移しされた編目により押し出されることで手袋の表面に現れて、保護部１２を形成する。高強度糸１０のインレイ編成と、地糸１１による１〜５コース程度の所定のコース数の編成を繰り返すことで、複数の高強度糸１０はウエール方向に離間するように手袋１に編み込まれる。地糸１１による所定の編成コース数は毎回同じコース数でもよく、毎回異なるコース数でもよい。インレイ編成では編目を形成しないので、編目形成が難しい太い高強度糸１０でも手袋１に編み込むことができる。途中に地糸１１だけの編成コースを交えるので高強度糸１０の編み込み箇所は互いに離間する。これにより高強度糸１０の使用量を削減でき、低コストかつ指などの曲げ易い耐切創手袋１を得ることができる。更なる耐切創性を求める場合は、前記の所定のコース数＝１として地糸１１の編成と高強度糸１０の編み込み編成を交互に行う箇所を設けて、保護部１２の密度を高めてもよい。インレイ編成では同じ箇所に挿入する高強度糸１０の本数を増やすことで耐切創性を高めることも可能である。いずれにしても、地糸１１だけの編成コースも交えて指などの曲げ易さを損なわない範囲で保護部１２を強化することが好ましい。また、地糸１１の編目を掛止している編針で高強度糸１０をタックしながら挿入してもよい。タックすることで高強度糸１０を確実に手袋１に固定でき、編成がし易くなる。
【００２３】
掌側２への高強度糸１０の編み込みは、ジャカード編成で行ってもよい。地糸１１での編成において任意の編目数毎に編目を形成しないミス編成を行い、続けて高強度糸１０を用いる編成では地糸１１とは編目編成とミス編成の編針を入れ替えることで、地糸１１と高強度糸１０が交互に手袋１の表面に現れるように編成する。高強度糸１０が手袋１の表面に現れる部分が保護部１２となる。高強度糸１０を編み込む編成コースを互いに離間させる場合は、途中に地糸１１だけを用いて天竺編成などを所定のコース数行う。地糸１１による所定の編成コース数は毎回同じコース数でもよく、毎回異なるコース数でもよい。地糸１１のみの編成コースを行わずに高強度糸１０を編み込む編成を連続して行えば保護部１２をさらに強化できるが、地糸１１だけの編成コースも交えて指などの曲げ易さを損なわない範囲で保護部１２を強化することが好ましい。なお、地糸１１と高強度糸１０の収縮率の差が大きい場合、前述のインレイ編成では高強度糸１０が手袋１の表面でパイル状に撓んで引っ掛かり易くなることがあるが、ジャカード編成では収縮率の差の影響を低減することができる。
【００２４】
高強度糸１０としては、パラ系アラミド繊維、ＰＢＯ繊維、ポリアリレート繊維、ポリエチレン繊維などの高強度合成繊維、あるいは金属材料が用いられる。地糸１１に綿糸やウールなどの天然繊維を用いる場合は、前記の高強度合成繊維のいずれかを高強度糸１０として用いれば、編地としての柔軟性を有しながら高い耐切創性を備えた手袋１を得ることができる。地糸１１に前記の高強度合成繊維のいずれかを用いる場合は、金属材料の糸を高強度糸１０として用いれば、より高い耐切創性を得ることができる。なお、地糸１１に天然繊維を用い、高強度糸１０に金属材料の糸を用いてもよい。金属材料としては、ステンレス鋼製の糸、アルミニウム合金製の糸、チタン合金製の糸などを用いる。
【００２５】
実施例では保護部１２は搬送物等の鋭利な部分に触れる掌側２に形成したが、食材や木材の切断作業のように刃物を扱う環境で使用する場合は、甲側３や手首６にも保護部１２を設けることが好ましい。また、地糸１１による手袋１の編成は天竺編成に限らず、公知の編成組織を伴ってもよい。手首６は、表目編成と裏目編成をコース毎に切り替えることでリブ状に形成してもよいし、弾性糸を編み込んで締め付け力を付与してもよい。
【００２６】
また、実施例では高強度糸１０の編み込み編成として、インレイ編成，タック編成，ジャカード編成について説明したが、公知のプレーティング編成により地糸１１と高強度糸１０を引き揃えて編目形成してもよい。プレーティング編成では先行する給糸口の糸が編地の表面に現れるので、高強度糸１０が手袋１の表面に現れるように編成することが好ましい。
【００２７】
また、実施例では５指本の手袋１の例を示したが、親指以外の指袋９を１つにしたミトン状に形成してもよい。指袋９は個別に形成する以外にも、爪先４から指股５にかけて掌側２と甲側３の間に編糸を交差させてこれらを接続し、指間に仕切りを有する一体的な手袋１として形成してもよい。
【００２８】
また、実施例では２枚ベッド横編機を用いて対向する針床に目移し用の空き針を設けて編成する例を示したが、目移し用の針床を有する４枚ベッド横編機を用いれば空き針を設けなくても良い。本発明は上記実施例に限定されるものではなく、本発明の主旨に逸脱しない範囲において実施可能である。
【符号の説明】
【００２９】
１    手袋
２    掌側
３    甲側
４    爪先
５    指股
６    手首
７    側面の一端側
８    側面の他端側
９    指袋
１０  高強度糸
１１  地糸
１２  保護部
１３，１３ａ  編出し部
１４，１４ａ  伏目部
【図１】
2014125715.tif 000003